(57)【要約】【課題】防災システムの表示装置において、履歴情報を有効に活用できるように、分かりやすく表示する。【解決手段】端末機器から発信されるイベント情報に基づいて防火区域内の状況を表示するＣＲＴ１１と、履歴情報として記憶する履歴記憶部２３とを備え、イベントが発生すると、ＣＲＴ１１は、そのイベント情報を発した端末機器を、イメージ画像における実際の設置箇所に対応する位置にその他の端末機器のシンボルとは異なる状態で示すイベント報知画面（火災報知画面６０）を表示する防災表示装置１０において、履歴情報の中から所定のイベント情報が選択されると、ＣＲＴ１１は、対応する端末機器について、イベント報知画面とほぼ同様に表示するリプレイ表示画面５０または連動リプレイ表示画面８０を表示する。【選択図】　　図５
2004005137.tif 000002
【特許請求の範囲】
【請求項１】
所定の防火区域内に設けられた端末機器から発信されるイベント情報に基づいて前記防火区域内の状況を表示する表示手段と、
過去のイベント情報を履歴情報として記憶する記憶手段とを備え、
表示手段は、イベントが発生すると、そのイベント情報を発した端末機器のシンボルを、設置されているエリアのイメージ画像の実際の設置箇所に対応する位置に、その他の端末機器のシンボルとは異なる態様で示すイベント報知画面を表示する防災表示装置において、
履歴情報の中から所定のイベント情報を選択する選択手段を備え、
表示手段は、選択手段によって所定のイベント情報が選択されると、このイベント情報を発した端末機器のシンボルを前記イベント報知画面とほぼ同様に示す履歴再現画面を表示することを特徴とする防災表示装置。
【請求項２】
履歴再現画面には、イメージ画像の他に、選択手段によって選択されたイベント情報についての文字情報が表示されることを特徴とする請求項１に記載の防災表示装置。
【請求項３】
選択手段によって選択されたイベント情報に関連する関連イベント情報が存在する場合、履歴再現画面には関連イベント情報を発した端末機器のシンボルも関連していることが分かるように表示されることを特徴とする請求項１または請求項２に記載の防災表示装置。
【請求項４】
履歴再現画面には、イメージ画像の他に、関連イベント情報についての文字情報が表示されることを特徴とする請求項３に記載の防災表示装置。
【請求項５】
選択手段により、関連イベント情報の文字情報が選択可能であり、
表示手段は、選択手段により関連イベント情報の文字情報が選択されると、そのイベント情報についての履歴再現画面を表示することを特徴とする請求項４に記載の防災表示装置。
【請求項６】
所定の防火区域内に設けられた端末機器から発信されるイベント情報に基づいて前記防火区域内の状況を表示する表示手段を備える防災表示装置において、
表示手段は、イベントが発生すると、そのイベント情報を発した端末機器のシンボルを、設置されているエリアのイメージ画像の実際の設置箇所に対応する位置に、周囲とのコントラストの差により強調して示す強調表示画面を表示可能であることを特徴とする防災表示装置。
【請求項７】
所定の防火区域内に設けられた端末機器から発信されるイベント情報に基づいて前記防火区域内の状況を表示する表示手段を備える防災表示装置において、
表示手段は、イベントが発生すると、そのイベント情報を発した端末機器のシンボルを、設置されているエリアのイメージ画像の実際の設置箇所に対応する位置に、その他の端末機器のシンボルとは異なる態様で示すイベント報知画面と、イベント報知画面と比較して、イベント情報を発した端末機器のシンボルを周囲に対して相対的にコントラストを上げることで強調して示す強調表示画面とを表示可能であり、
イベント報知画面と強調表示画面のいずれを表示するか選択する表示状態選択手段を備えることを特徴とする防災表示装置。
【請求項８】
強調表示画面ではイベント報知画面と比較して、イベント情報を発した端末機器のシンボルの表示色のコントラストを上げることを特徴とする請求項７に記載の防災表示装置。
【請求項９】
強調表示画面ではイベント報知画面と比較して、イベント情報を発した端末機器のシンボルの背景の表示色のコントラストを下げることを特徴とする請求項７に記載の防災表示装置。
【請求項１０】
強調表示画面ではイベント報知画面と比較して、イベント情報を発した端末機器のシンボルの表示色のコントラストを上げ、かつ、その背景の表示色のコントラストを下げることを特徴とする請求項７に記載の防災表示装置。
【請求項１１】
強調表示画面ではイベント報知画面と比較して、イベント情報を発した端末機器のシンボルの表示色のコントラストを上げ、その他の端末機器のシンボルのコントラストを下げることを特徴とする請求項７に記載の防災表示装置。
【請求項１２】
前記エリアが複数の地区からなる場合に、強調表示画面ではイベント報知画面と比較して、イベント情報を発した端末機器が設置されている地区について相対的に他の地区よりもコントラストを上げて強調表示することを特徴とする請求項７〜１１のいずれか記載の防災表示装置。
【請求項１３】
所定の防火区域内に設置され、かつ、前記防火区域内で発生するイベントに対応して動作する端末機器と、
前記端末機器に接続され、端末機器から発信されるイベント情報を受信する受信機と、
前記受信機を介して端末機器からのイベント情報を受信し、その内容を表示する防災表示装置とを備える防災システムにおいて、
防災表示装置は、請求項１〜１２のいずれか記載の防災表示装置であることを特徴とする防災システム。
【発明の詳細な説明】
【０００１】
【発明の属する技術分野】
この発明は、防災システム及びその防災表示装置に関する。
【０００２】
【従来の技術】
一般に建築物等に設けられる防災システムには、防災区域内の状況表示や各種指示などのために表示装置（以下、防災表示装置）が設けられている。このような防災表示装置は、火災などのイベント発生時には画面にその状況を表示するとともに、そのイベントをメッセージの文字情報の履歴として記憶する。
また、前記表示装置にフロアをイメージ画像で表示する場合、防災区域に設けられている端末機器をシンボルマークで表示し、イベントが発生するとそのイベントに関わる端末機器のシンボルマークの色を変えるなどにより警報を発する。
【０００３】
【発明が解決しようとする課題】
しかしながら、従来の防災表示装置では、過去に生じたイベントの履歴情報を呼び出すと、多数のイベントを一覧表示するのみで、断片的な情報だけであり、しかも見にくく識別しずらかった。
また、フロアを端末機器とともにイメージ画像で表示するときに、フロア面積に対して表示画面が小さい場合、イベント発生時に色などで表示状態を変えてもどの端末機器が作動したかが分かりにくく、イベントの発生を見逃しかねないという問題があった。
【０００４】
本発明の課題は、防災表示装置において、履歴情報を有効に活用できるように分かりやすく表示し、また、実際にイベントが発生した際にどの端末機器が動作したかを明確に把握できるように表示することにある。
【０００５】
【課題を解決するための手段】
以上の課題を解決するため、請求項１に記載の発明は、例えば図１〜図４、図６〜図８に示すように、
所定の防火区域内に設けられた端末機器から発信されるイベント情報に基づいて前記防火区域内の状況を表示する表示手段（ＣＲＴ１１）と、
過去のイベント情報を履歴情報として記憶する記憶手段（履歴記憶部２３）とを備え、
表示手段は、イベントが発生すると、そのイベント情報を発した端末機器のシンボルを、設置されているエリアのイメージ画像の実際の設置箇所に対応する位置に、その他の端末機器のシンボルとは異なる態様で示すイベント報知画面（火災報知画面６０）を表示する防災表示装置（１０）において、
履歴情報の中から所定のイベント情報を選択する選択手段（リプレイボタン３４ｃｃ）を備え、
表示手段は、選択手段によって所定のイベント情報が選択されると、このイベント情報を発した端末機器のシンボルを、前記イベント報知画面とほぼ同様に示す履歴再現画面（リプレイ表示画面５０、連動リプレイ表示画面８０）を表示することを特徴とする。
【０００６】
請求項１に記載の発明によれば、選択手段によって所定のイベント情報を選択すると、このイベント情報を発した端末機器のシンボルについてイベント報知画面とほぼ同様に示す履歴再現画面が表示される。従って、従来のように文字情報でなく、イベント報知画面と同様に、つまり、設置されているエリアのイメージ画像における実際の設置箇所に対応する位置に、その他の端末機器のシンボルとは異なる態様で表示されるので、過去のイベントに関して、端末機器の種類や位置、イベントの種類などを、視覚的に簡単に把握することができ、履歴情報を有効に利用することができる。
ここで、端末機器は、防災システムに通常含まれる火災感知器やガス漏れ検出器、防火戸などの防排煙機器、消火栓、地区ベルなどである。イベントとは、端末機器に発生するあらゆる事態を含み、感知器であれば火災の検出や注意報、防排煙機器や消火栓であれば作動、さらにこれら機器の故障なども含む。
また「他の端末機器のシンボルとは異なる表示状態で示す」とは、色を変えたり、点滅させたりといったことである。また、端末機器の設置されている「エリア」とは、例えば１フロア全体であったり、１フロアの中の該当する地区である。
さらに、「異なる態様」としては、色、形状、大きさを変更したり、点灯や点滅の仕方を変えるといったことが挙げられる。
【０００７】
請求項２に記載の発明は、請求項１に記載の防災表示装置において、
履歴再現画面には、イメージ画像の他に、選択手段によって選択されたイベント情報についての文字情報が表示されることを特徴とする。
請求項２に記載の発明によれば、イメージ画像に加えて、文字情報も表示されるので、より正確に過去のイベントについて把握できる。
【０００８】
請求項３に記載の発明は、請求項１または請求項２に記載の防災表示装置において、
選択手段によって選択されたイベント情報に関連する関連イベント情報が存在する場合、履歴再現画面には関連イベント情報に関わる端末機器のシンボルも関連していることが分かるように表示されることを特徴とする。
【０００９】
請求項３に記載の発明によれば、履歴再現画面には選択したイベントだけでなく、関連するイベント情報に関わる端末機器も関連していることが分かるように表示されることから、過去のイベントについて従来のように断片的な情報でなく幅広く有用な情報を把握することができる。
ここで、「関連する」とは、例えば連動関係であれば、防排煙機器のイベントを選択した場合にその原因となった火災感知器についても表示する。あるいは、同じ原因の火災でほぼ同時刻に動作した関係であれば、ある火災感知器の火災検出のイベントを選択した場合に、連動関係に関係なくその火災によって作動した複数の防排煙機器を一度に表示したりといったことが挙げられる。
【００１０】
請求項４に記載の発明は、請求項３に記載の防災表示装置において、
履歴再現画面には、イメージ画像の他に、関連イベント情報についての文字情報が表示されることを特徴とする。
請求項４に記載の発明によれば、選択されたイベント情報に関連する関連イベント情報が表示されるので、選択したイベント情報だけでなく、それに関連する情報まで幅広く把握することができる。
【００１１】
請求項５に記載の発明は、請求項４に記載の防災表示装置において、
選択手段により、関連イベント情報の文字情報が選択可能であり、
表示手段は、選択手段により関連イベント情報の文字情報が選択されると、そのイベント情報についての履歴再現画面を表示することを特徴とする。
請求項５に記載の発明によれば、関連イベント情報の文字情報からも履歴再現画面を表示させることができ、利便性が高い。
【００１２】
また、請求項６に記載の発明は、例えば図１〜図５に示すように、
所定の防火区域内に設けられた端末機器から発信されるイベント情報に基づいて前記防火区域内の状況を表示する表示手段（ＣＲＴ１１）を備える防災表示装置（１０）において、
表示手段は、イベントが発生すると、そのイベント情報を発した端末機器のシンボルを、設置されているエリアのイメージ画像の実際の設置箇所に対応する位置に、周囲とのコントラストの差により強調して示す強調表示画面（７０）を表示可能であることを特徴とする。
【００１３】
請求項６に記載の発明によれば、イベントが発生したときに、強調表示画面において、該当する端末機器のシンボルを周囲とのコントラストの差により強調して表示することが可能であることから、イベントが発生した端末機器が他のシンボルなどと比べて明確に識別することができる。
【００１４】
請求項７に記載の発明は、
所定の防火区域内に設けられた端末機器から発信されるイベント情報に基づいて前記防火区域内の状況を表示する表示手段（ＣＲＴ１１）を備える防災表示装置（１０）において、
表示手段は、イベントが発生すると、そのイベント情報を発した端末機器のシンボルを、設置されているエリアのイメージ画像の実際の設置箇所に対応する位置に、その他の端末機器のシンボルとは異なる態様で示すイベント報知画面（火災報知画面６０）と、イベント報知画面と比較して、イベント情報を発した端末機器のシンボルを周囲に対して相対的にコントラストを上げることで強調して示す強調表示画面とを表示可能であり、
イベント報知画面と強調表示画面のいずれを表示するか選択する表示状態選択手段（強調表示ボタン３５）を備えることを特徴とする。
【００１５】
請求項７に記載の発明によれば、請求項６同様の作用効果に加えて、エリアの大きさと表示手段の画面の相対的な大きさなどにより、イベント報知画面では見づらい場合には表示状態選択手段で強調表示画面に切り替えればよく、利便性が高い。
ここで、イベント発生時に、イベント報知画面と強調表示画面がどちらが優先的に表示されてもよい。一方が優先的に表示され、表示状態選択手段によって他方を選択すればよい。
【００１６】
請求項７に記載の防災表示装置において、強調表示画面における周囲とのコントラストの差の付け方は具体的には請求項８〜１２の構成が挙げられる。
請求項８に記載の発明は、請求項７に記載の発明において、強調表示画面ではイベント報知画面と比較して、イベント情報を発した端末機器のシンボルの表示色のコントラストを上げることを特徴とする。
請求項９に記載の発明は、請求項７に記載の発明において、強調表示画面ではイベント報知画面と比較して、イベント情報を発した端末機器のシンボルの背景の表示色のコントラストを下げることを特徴とする。
また、請求項１０に記載の発明は、請求項７に記載の防災表示装置において、強調表示画面ではイベント報知画面と比較して、イベント情報を発した端末機器のシンボルの表示色のコントラストを上げ、かつ、その背景の表示色のコントラストを下げることを特徴とする。
さらに、請求項１１に記載の発明は、請求項７に記載の防災表示装置において、強調表示画面ではイベント報知画面と比較して、イベント情報を発した端末機器のシンボルの表示色のコントラストを上げ、その他の端末機器のシンボルのコントラストを下げることを特徴とする。
【００１７】
請求項１２に記載の発明は、請求項７〜１１のいずれか記載の防災表示装置において、
前記エリアが複数の地区からなる場合に、強調表示画面ではイベント報知画面と比較して、イベント情報を発した端末機器が設置されている地区について相対的に他の地区よりもコントラストを上げて強調表示することを特徴とする。
請求項１２に記載の発明によれば、対象となる端末機器が設置されている地区について他の地区に対してコントラストの差をつけ強調表示するので、どの地区でイベントが発生したのか明確に識別できる。
ここで、コントラストの付け方としては、該当地区全体を他の地区と比較してコントラストを上げてもよいし、該当地区の外形線を強調してもよい。
【００１８】
請求項１３に記載の発明は、例えば図１〜図８に示すように、
所定の防火区域内に設置され、かつ、前記防火区域内で発生するイベントに対応して動作する端末機器（火災感知器５、防排煙機器６、地区ベル７）と、
前記端末機器に接続され、端末機器から発信されるイベント情報を受信する受信機（防災受信機２）と、
前記受信機を介して端末機器からのイベント情報を受信し、その内容を表示する防災表示装置（１０）とを備える防災システム（１）において、
防災表示装置は、請求項１〜１２のいずれか記載の防災表示装置であることを特徴とする。
請求項１３に記載の発明によれば、請求項１〜１２それぞれと同様の作用効果を奏することができる。
【００１９】
【発明の実施の形態】
以下、この発明の実施の形態について、図面を参照しながら説明する。
図１は、本発明の一例としての防災表示装置を備える防災システムを示している。防災システム１は、複数の建物から構成される防火区域に設けられ、火災やガス漏れの監視や火災報知等行うもので、防災受信機２や防災表示装置１０などから構成される。
【００２０】
防災受信機２は、防災システム１全体を統括するもので、中継器３を介して、あるいは直接各種端末機器と接続されている。
ここで、端末機器としては、例えば、煙感知器や熱感知器などの火災感知器５、５、５や、防火戸やダンパーなどの防排煙機器６、６、６や、各地区ごとに設けられている地区ベル７、７、７などが挙げられる。なお、ここで挙げた端末機器の例や個数、中継器の数などは説明の都合上一部例示したもので、種類や数は図１で挙げたものに限定されない。
【００２１】
これら端末機器には、それぞれ固有のアドレスが付与されていて、受信機２はこれらアドレスをもって個々の端末機器を識別し、その動作を制御し、さらに端末機器からのイベントに関する情報を収集し、その結果を防災表示装置１０に送信するようになっている。「イベント」とは、個々の端末機器の周囲や端末機器自身に発生する諸々の事態であり、火災感知器であれば火災発生の有無やその故障、防排煙機器であれば火災発生時の自己の動作や故障などが挙げられる。
具体的には、防災受信機２は、火災やガス漏れなどが発生すると、火災感知器やガス漏れ検出器などからの信号に応じて、防災表示装置１０に警報を表示させたり、自ら警報音を発するとともに、防火戸、ダンパーなどを制御駆動したり、地区ベルを鳴動させ、さらにそういった感知器などからのイベントの受信、端末機器の動作などに関する情報を全て防災表示装置１０に送信する。
また、本実施の形態では、後述するように１フロアを複数の地区に区切って監視し、端末機器間には連動関係が設定されている。例えば、１つの地区の中の１感知器が火災発報したならば、その地区の所定の防火戸などの防排煙機器が作動する、あるいは１つの感知器が火災発報すればその感知器が設置されているフロア全体をカバーする地区ベルが鳴動する、というように連動関係が設定されている。
【００２２】
防災表示装置１０は、防災受信機２と接続され、防災受信機２からのデータ信号を受けて、平常時及びイベント発生時に、所定の画像を表示し、現在の状況や警報を表示する。また、防災受信機２からの信号に応じて画像を表示するだけでなく、防災表示装置１０における操作により、防災受信機２や、防災受信機２を介して端末機器の動作を制御することができる。
防災表示装置１０は、図１及び図２に示すように、画像を表示するＣＲＴ１１と、本体２０と、キーボード１３とマウス１４を有する操作部１５から構成される。なお、本発明の防災表示装置で、図１で示した構成以外を有していてもよく、例えばプリンターを備え、ＣＲＴ１１の表示内容を印刷できるようにしてもよい。
【００２３】
本体２０は、制御部２１に、記憶部２２、履歴記憶部２３、通信インターフェース２４などが接続されて構成される。
記憶部２２は、例えばハードディスクやＲＯＭ（Ｒｅａｄ　Ｏｎｌｙ　Ｍｅｍｏｒｙ）などからなり、制御プログラムや各種設定データを記憶している。
本発明の記憶手段である履歴記憶部２３は、ＲＡＭ（Ｒａｎｄｏｍ　Ａｃｃｅｓｓ　Ｍｅｍｏｒｙ）などからなり、防災システム１において発生したイベントを時系列で記憶するもので、記憶容量を超えると、古いイベントから消去していく。容量としては例えば１万件である。
【００２４】
防災受信機２との間の通信を行うための通信インターフェース２４としては、例えばＲＳ−４８５などの一般的なシリアルインターフェースを用いる。なお、防災受信機２と防災表示装置１０間の通信は、ＬＡＮやＷＡＮ等のネットワークを介して行われてもよい。
また、ＣＲＴ１１及び操作部１５も、それぞれインターフェース２５、２６を介して本体１１に接続されている。
制御部２１は、ＣＰＵ（Ｃｅｎｔｒａｌ　Ｐｒｏｃｅｓｓｉｎｇ　Ｕｎｉｔ）などから構成され、記憶部２２の制御プログラムや設定データに基づいて、ＣＲＴ１１に表示する画像の制御を行うグラフィックコントローラであり、防災受信機２から送信される情報や、操作部１５における入力指示を受けてＣＲＴ１１に所定の画面を表示させる。また、操作部１５からの指示を受けて、防災受信機２に対して所定の指示信号を出力する。
【００２５】
ＣＲＴ１１は、防災システム１の現在の状況や警報を表示するとともに、履歴記憶部２３の履歴情報に基づいて過去のイベントを表示する表示手段である。以下、ＣＲＴ１１における表示動作について説明していく。
図３は、通常の監視状態における表示を示す通常表示画面３０である。通常表示画面３０には、主に各フロアを平面図で示す主画面３１と、フロア表示部３１の右側に設けられた操作ボタン群３２とから構成される。
【００２６】
図３に限らず、ＣＲＴ１１では、各フロアを表示する場合、フロアの概要とともに前述の火災感知器５や防排煙端末６の一例としての端末機器がそれぞれ固有のシンボルで、設置されている実際の場所に対応するように表示される。
例えば、「Ｓ」は煙感知器、「Ｈ」は熱感知器のシンボルである。煙感知器、熱感知器を含めて、各地区ごとに一連番号が付され、シンボルマークの傍に表示されている。符号Ｔは非常電話を、符号Ｗは消火栓を、符号Ｅは排煙口を示すシンボルである。また、符号Ｄ１〜Ｅ５はそれぞれ防火戸を示す。さらに、符号Ａｎ（Ａ１、Ａ２など）は、１フロアの中の１地区を示すシンボルで、「Ａ１」であれば第１地区となる。また、ＣＲＴ１１はカラー表示可能であって、本実施の形態では、主画面３１の背景色は暗青色であって、フロアそのものはベージュ色、フロアの中の端末機器や地区の境界線は青色で表示されている。
【００２７】
操作ボタン群３２は、所望の画面を表示する場合などに操作する各種ボタンからなり、画面に表示されるポインタ（図示せず）をマウスなどで移動させながらそれぞれ選択することができる。なお、他の図面にも操作ボタン群３２同様の操作ボタン群が設けられており、同じボタンには図３と同符号を付して詳細な説明は省略している。
メニューボタン３３は各種メニューを選択するためのボタンである。棟選択ボタン３２ｅは防火システム１の監視対象となっている建築物を選択するためのボタンである。
また、スクロールバー３２ａ、フロアアップボタン３２ｂ、及びフロアダウンボタン３２ｃを操作することで、所望のフロアをフロア表示部３２ｄに表示させ、フロア名をクリックすることでそのフロアを主画面３１に表示させることができる。ここでは「８（Ｆ）階」を表示している。
【００２８】
凡例ボタン３４ａは、ＨやＳなど端末機器のシンボルの内容を表示している凡例ウインドウを表示させるためのものであり、ガイダンスボタン３４ｂは、操作ガイダンスや火災発生時などの対応ガイダンスのウインドウを表示するためのものである。一画面戻りボタン３４ｃは１つ前に表示されていた画面を表示するためのものである。直上階ボタン３４ｄ、直下階ボタン３４ｅは、それぞれ現在表示されているフロアの直上の階、直下の階を表示するためのボタンで、これらのボタンは火災発生時などに他のフロアへの影響を確認するため有用である。
【００２９】
出火階ボタン３４ｆは、火災が発生すると赤く点灯し、このとき該ボタンを操作すると出火しているフロア名のリストを表示した出火階選択ウインドウ（図示せず）を表示する。ウインドウに表示されたリストからフロア名を選択すると該当画面に切り替わる。
作動図ボタン３４ｇは、作動した端末機器についてフロア図とともに表示するものである。
縮小四画面ボタン３４ｈは、主画面３１を４分割して、例えば４つのフロアを縮小して表示する。拡大ボタン３６ａ、縮小ボタン３６ｂは、それぞれ、主画面３１の表示を拡大・縮小表示する。図３では、縮小ボタン３６ｂは操作できない状態で表示されている。
設備管理ボタン３７は、防災表示装置１０や防災受信機２などの設備管理を行う設備管理ウインドウ（図示せず）を表示するためのものである。この設備管理ウインドウにイベント履歴を表示するボタンが設けられている。
画面消去ボタン３８を操作すれば画面を消去する。なお、消去後はキーボード１３やマウス１４にタッチすることで復活する。
【００３０】
防災システム１内で火災が発生すると、火災を検出した感知器は火災信号を防災受信機２に送信する。これを受けて防災受信機２は、イベント情報を防災表示装置１０に出力する。防災表示装置１０はこのイベント情報に対応して、ＣＲＴ１１の表示を強制的に図４に示す火災報知画面（イベント報知画面）６０に切り替える。
火災報知画面６０は、主画面６１と、操作ボタン群６２と、イベント表示部６３とから構成される。
イベント表示部６３には、発生したイベント（火災）に関する詳細事項が表示される。ここの表示から、８階の第３地区の煙感知器からのイベント情報であることが分かる。イベント表示部６３の上部に表示されている、「火災００１」、「ガス漏れ０００」、「防排煙０００」という表示はイベントの件数を表し、火災が１件発生したが、ガス漏れや防排煙機器の作動はないことを示す。ガス漏れが検出されたり、防排煙機器が作動すれば、それぞれ「０００」から「００１」に表示が替わる。
【００３１】
主画面６１には、火災を発報したフロア図が表示され、そのうち、火災を報知した煙感知器Ｓ１のシンボルマークと、煙感知器Ｓ１が設置されている第３地区のシンボルマークである「Ａ３」と、第３地区の外形線Ｌ１が赤色に表示される。
また、操作ボタン群３２のフロア表示部３２ｄには現在表示されているフロアである「８階」が他の階とは異なる背景色で表示され、棟選択ボタン３２ｅには該当するフロアを含む棟が表示されている。これら主画面６１や操作ボタン群３２の表示により、視覚的に防災システム１内のどの場所で火災が発生したのか把握することができる。
出火階ボタン３４ｆは、火災が発生していることを示すべく、他のボタンとは違う背景色（例えば赤色）で表示されている。赤く点灯しているボタン３４ｆを操作すると出火しているフロア名のリストを表示した出火階選択ウインドウ（図示せず）を表示する。ウインドウに表示されたリストからフロア名を選択すると該当画面に切り替わる。
火災報知画面６０であっても、フロア表示部３２ｄで異なるフロアを選択したり、直上階ボタン３４ｄ、直下階ボタン３４ｅを操作することで、主画面６１に異なるフロアを表示することも可能である。この状態で、出火階ボタン３４ｆを操作することで再び出火階のフロアを表示する。
【００３２】
操作ボタン群３２の強調表示ボタン（表示状態選択手段）３５を操作すると、図５に示す強調表示画面７０が表示される。強調表示画面７０は、火災報知画面６０と同様に、主画面７１と、操作ボタン群７２と、イベント表示部７３とから構成される。
強調表示画面７０の主画面７１では、煙感知器Ｓ１のシンボルマークと、第３地区のシンボルマークである「Ａ３」と、外形線Ｌ１の赤色表示が、火災報知画面６０における赤色表示よりも明度を上げコントラストを高く表示される。加えて、それ以外の箇所、つまり火災発報とは無関係の青色で表示されている端末機器の青色やフロアのベージュ色、背景色の暗青色のコントラストを下げて表示する。このようにコントラストに差をつけ強調することで、火災が発生した箇所がより明確に表示される。強調表示ボタン３５をもう一度操作すると、火災報知画面６０に戻る。
このような強調表示は、シンボルがフロアや地区に密集している場合や、１フロアの地区が細かく区切られている場合や、１フロアの大きさに対して表示画面が小さい場合などの、１地区を比較的大きく表示できないような場合に特に有用である。
強調表示画面７０及び火災報知画面６０のいずれが表示されていても、前記煙感知器Ｓ１が復旧し、全ての端末機器が正常になった時点で、ＣＲＴ１１の表示は前記通常表示画面３０に戻るとともに、出火階ボタン３４ｆの背景色も赤色から元に戻る。
【００３３】
なお、強調表示ボタン３５の操作を経ずに、イベントが発生すると、通常表示画面３０から自動的に強調表示画面７０に切り替わってもよい。また、上記の強調表示では赤色表示以外全てコントラストを落としたが、第１地区についてはフロア色などのコントラストを落とさない、あるいは上げて表示してもよい。
【００３４】
前記通常表示画面３０において、設備管理ボタン３７を操作すると、設備管理ウインドウ（図示なし）が表示される。設備管理ウインドウのイベント履歴ボタンを操作すると、図６に示す履歴一覧画面４０が表示される。
履歴一覧画面４０は、主画面４１と操作ボタン群４２とから構成される。主画面４１には、前記履歴記憶部２３に記憶されている過去のイベントの一覧が時系列で表示される。具体的な表示内容としては、イベント発生時刻、そのイベントを発した端末機器の設置箇所・種類・アドレス、イベントの種類（感知器であれば火災報か注意報かなど）などである。
スクロールボタン４１ａを移動させることで、記憶している全てのイベントを表示することが可能である。
【００３５】
画面選択ボタン４２ａにより、所望の画面を主画面４１上にポップアップ表示することができ、ここでは検索画面４３が表示されている。検索画面４３で日付、発生箇所などの条件を設定し、検索ボタン４３ａをクリックすることで、設定した条件に合致するイベントのみ時系列で履歴表示される。
操作ボタン群４２には、通常表示画面３０同様のボタンが表示されるが、有効なボタンのみ操作可能であるように表示されている。ここでは、メニューボタン３３、凡例ボタン３４ａ、ガイダンスボタン３４ｂ、出火階ボタン３４ｆ、作動図ボタン３４ｇ、設備管理ボタン３７、画面消去ボタン３８が操作可能に表示されている。
主画面４１上の戻るボタン４４をクリックすると、通常表示画面３０に戻る。
【００３６】
なお、図３などで一画面戻りボタン３４ｃとして表示されているボタンはここでは、リプレイボタン３４ｃｃとして表示されている。
主画面４１において一覧のうちの１つのイベントを指定した状態（図６の白抜き表示）で、リプレイボタン３４ｃｃをクリックすると、例えば図７に示すように、そのイベントを発生したフロアのその時の様子が再現表示される。この画面はリプレイ表示画面（履歴再現画面）５０という。すなわち、リプレイボタン３４ｃｃが本発明の選択手段となる。
リプレイ表示画面５０は、主画面５１と、操作ボタン群５２と、関連履歴表示部５５とから主に構成される。
【００３７】
メッセージエリアである関連履歴表示部５５の一番上には、図６の履歴一覧画面４０で選択した項目が表示されている。ここでは、白抜きで「定温式熱感知器の火災報」に関するイベントｘ１が選択されている様子が表示されている。その下には、現在選択されている項目と関連のある項目が表示されている。ここでは、イベントｘ１と時系列的に近いイベントが表示されている。
【００３８】
主画面５１には、イベントｘ１に対応したフロア図がイベント発生時の状態と同じ状態で表示される。ここでは、「第６地区」の区画の外形線Ｌ２と、この地区内に設置されている「熱感知器２」Ｈ２と、第６地区であることを示す「Ａ６」が、図４の表示と同様の状態で、つまり、赤色で表示される。この表示により、履歴表示におけるイベントｘ１が、「第６地区の熱感知器Ｈ２」の発報によるものであることが視覚的に理解できる。
さらに、リプレイ表示画面５０においても強調表示ボタン３５は有効であることから、図７の表示状態で強調表示ボタン３５を操作することで、図５同様の強調表示に切り替えることもできる。
なお、リプレイ表示画面５０及び図８の連動リプレイ表示画面８０で表示される符号３９は一覧ボタンであり、該一覧ボタン３９を操作すると図６の履歴一覧画面４０に戻る。
【００３９】
関連履歴表示部５５において、イベントｘ１以外のイベントをポインタとマウスで指定した状態でリプレイボタン３４ｃｃを操作すると、主画面５１の表示はそのイベントに関するフロア図に切り替わり、関連履歴表示部５５には新たに選択したイベントが先頭に表示されるようになる。
さらに、リプレイ表示画面５０に一度に表示するイベントは図７に示したように１つに限らず複数でもよく、例えば履歴一覧画面４０で検索により１フロアのみ履歴表示し、さらにそのうちの複数を選択した状態でリプレイボタン３４ｃｃを操作して、選択した複数のイベント全てについて一度にリプレイ表示させてもよい。
また、１つのイベントを選択しただけで、もしくは１つのイベントを選択した上でそのイベントをマウスでダブルクリックすることによりリプレイ表示画面５０が即座に表示されるようにしてもよい。
【００４０】
図６の履歴一覧画面４０で防火戸に関するイベントを選択し、リプレイボタン３４ｃｃを操作すると、図８に示す連動リプレイ表示画面（履歴再現画面）８０が表示される。連動リプレイ表示画面８０は、リプレイ表示画面５０とほぼ同様に、主画面８１と、操作ボタン群８２と、関連履歴表示部８５とから構成される。リプレイ表示画面５０と同様の点については以下説明せず、異なる点のみ説明する。
関連履歴表示部８５の一番上には、図６の履歴一覧画面４０で選択した項目が表示されている。ここでは、白抜きで「防火戸の作動」に関するイベントｘ２が選択されている様子が表示されている。その下には、現在選択されている項目とほぼ同時刻に生じた項目が表示されている。
【００４１】
主画面８１には、イベントｘ２に対応したフロア図がイベント発生時の状態と同じ状態で表示される。ここでは、「第６地区」の区画の外形線Ｌ２とシンボルマークＡ６が火災報知時と同様の赤色で表示され、作動した「防火戸」Ｄ２が赤色以外の色、例えば緑色で表示される。さらに、「防火戸」Ｄ２の連動元である第６地区内の熱感知器Ｈ２が赤色で表示される。
この表示により、履歴表示におけるイベントｘ２が、「第６地区の熱感知器Ｈ２の発報に連動して防火戸が動作したもの」であることが視覚的に理解できる。
【００４２】
以上の防災表示装置１０及び防災システム１によれば、履歴一覧画面４０において所定のイベント情報、例えば火災検出を選択すると、ＣＲＴ１１に、この火災検出を発した感知器について火災報知画面６０とほぼ同様にリプレイ表示画面５０が表示される。従って、過去のイベントに関して、端末機器の種類や位置などを視覚的に簡単に把握することができ、履歴情報を有効に利用することができる。
さらに連動関係があれば、連動リプレイ表示画面８０のように、選択したイベントだけでなく、関連するイベント情報に関わる端末機器のシンボルも表示されることから、過去のイベントについて従来のように断片的な情報でなく連動関係も含めて幅広く有用な情報を把握することができる。
【００４３】
リプレイ表示画面５０及び連動リプレイ表示画面８０の関連履歴表示部５５、８５には、文字情報も表示されるので、より正確に過去のイベントについて把握できる。さらに、選択されたイベント情報だけでなく、それに関連するイベント情報が表示されるので、関連する情報まで幅広く把握することができる。また、これら関連するイベント情報から、リプレイ表示画面を表示させることができるので、利便性が高い。
【００４４】
さらに、防災表示装置１によれば、イベントが発生したときに、強調表示画面７０において、該当する端末機器の表示色を火災報知画面６０における表示色よりもコントラストを上げ、それ以外の箇所のコントラストを下げて強調して表示することから、イベントが発生した端末機器を明確に識別することができる。例えば、フロアとＣＲＴ１１の相対的な大きさなどにより、火災報知画面６０などの通常のイベント報知画面では見づらい場合には強調表示画面７０に切り替えればよい。
さらに、対応する端末機器が設置されている地区の外形線についても他の地区に対してコントラストの差をつけ強調表示するので、どの地区でイベントが発生したのか明確に識別できる。
【００４５】
なお、本発明は上記実施の形態に限定されず適宜変更可能であるのは勿論である。
例えば、画面のフロア図についての背景色、フロア色、火災発生時の色（ここでは赤）は上記実施の形態に限定されず、変更自在である。
強調表示について、火災以外のイベントの発生時にも自動的あるいは選択的に表示してもよいのは勿論である。逆に、火災やガス漏れなどの重大なイベントのみ強調表示可能とし、その他のイベント、例えば端末機器の故障などであれば強制表示はしないように構成してもよい。
【００４６】
【発明の効果】
本発明の代表的な効果を以下に挙げる。
請求項１に記載の発明によれば、選択手段によって所定のイベント情報を選択すると、表示画面に、そのイベント情報を発した端末機器についてイベント報知画面とほぼ同様に表示する履歴再現画面が表示される。従って、従来のように文字情報だけでなく、イベント報知画面と同様に、つまり、設置されているエリアのイメージ画像における実際の設置箇所に対応する位置に、その他の端末機器のシンボルとは異なる態様で表示されるので、過去のイベントに関して、端末機器の種類や位置、イベントの種類などを、視覚的に簡単に把握することができ、履歴情報を有効に利用することができる。
【００４７】
請求項６及び請求項７に記載の発明によれば、イベントが発生したときに、強調表示画面において、該当する端末機器を周囲とのコントラストの差により強調して表示することから、イベントを発生した端末機器を他のシンボルなどと比べて明確に識別することができる。
【図面の簡単な説明】
【図１】本発明の防災システムの一例を示す構成図である。
【図２】図１の防災表示装置の構成を示すブロック図である。
【図３】通常表示画面を示す図である。
【図４】火災報知画面を示す図である。
【図５】強調表示画面を示す図である。
【図６】履歴一覧画面を示す図である。
【図７】リプレイ表示画面を示す図である。
【図８】連動リプレイ表示画面を示す図である。
【符号の説明】
１　　　　防災システム
２　　　　防災受信機（受信機）
５　　　　火災感知器（端末機器）
６　　　　防排煙機器（端末機器）
７　　　　地区ベル（端末機器）
１０　　　防災表示装置
１１　　　ＣＲＴ（表示手段）
１５　　　操作部
２３　　　履歴記憶部（記憶手段）
３０　　　通常表示画面
３４ｃｃ　　リプレイボタン（選択手段）
３４ｇ　　作動図ボタン
３５　　　強調表示ボタン（表示状態選択手段）
３９　　　一覧ボタン
４０　　　履歴一覧画面
４３　　　検索画面
５０　　　リプレイ表示画面（履歴再現画面）
５５　　　関連履歴表示部
６０　　　火災報知画面（イベント報知画面）
６３　　　イベント表示部
７０　　　強調表示画面
８０　　　連動リプレイ表示画面（履歴再現画面）
８５　　　関連履歴表示部
【図１】
2004005137.tif 000003
【図２】
2004005137.tif 000004
【図３】
2004005137.tif 000005
【図４】
2004005137.tif 000006
【図５】
2004005137.tif 000007
【図６】
2004005137.tif 000008
【図７】
2004005137.tif 000009
【図８】
2004005137.tif 000010